(57)【要約】【課題】従来のたて樋等の融雪・凍結防止手法の１部は既設のたて樋配管を廃棄し、新規に施工する必要があった。又、既設たて樋配管内部に電熱線を垂らす手法は、施工が簡単であるが、熱効率が悪くたて樋全周を加熱するには不十分であった。【解決手段】ヒーター支持器２の部分（２ａ、２ｂ、２ｃ）をバネ状構造にした先端部に電熱ヒーター３を取付け、複数の電熱ヒーター（３ａ、３ｂ、３ｃ）がたて樋配管１の内面に密接する構造のたて樋配管凍結防止器。【選択図】  図１
2008291428.tif 000002
【特許請求の範囲】
【請求項１】
既設のたて樋配管１の内径よりも外径が大であるヒーター支持器２、この支持器の腕部先端に取付けられた電熱ヒーター（３ａ、３ｂ、３ｃ）および複数のヒーター支持器の中央部を貫通してこれらを一体化する固定用支持線６からなる発熱部を、既設のたて樋配管１の内部へ引っ張り込む事によって、ヒーター支持器の腕部がたて樋配管の内径に沿って折り曲げられ、ヒーター支持器に取付けられた電熱ヒーターが、腕部（２ａ、２ｂ、２ｃ）の復元バネ圧力によって、たて樋配管の内面に密着する構造のたて樋配管凍結防止器。
【請求項２】
ヒーター支持器２に取付けられた保持器は、ヒーター支持器の腕部の曲げ角度に関係なく、たて樋配管の縦軸に沿って維持できる構造とした事によって、各保持器に支持された各電熱ヒーターの全長がたて樋配管の軸方向に対して、密着する構造とした請求項１記載のたて樋配管凍結防止器。
【請求項３】
ヒーター支持器２に設けた通し穴２ｄに固定用支持線６を通して、固定リング５によって同一軸上に複数個のヒーター支持器２を自由な間隔で取付け固定可能な構造の請求項１、２のいずれかに記載のたて樋配管凍結防止器。
【請求項４】
電熱ヒーター３は自己温度制御機能を有する材料の請求項１、２，３のいずれかに記載のたて樋配管凍結防止器。
【請求項５】
ヒーター支持器２は抗菌対策が施されている材料の請求項１,２，３，４のいずれかに記載のたて樋配管凍結防止器。
【発明の詳細な説明】
【技術分野】
【０００１】
本発明は、寒冷地建築物の配管等の融雪・凍結防止に関するものである。
【背景技術】
【０００２】
従来の寒冷地建築物の配管、たて樋等の融雪・凍結防止は、管の外面に電熱ヒーターを巻きつける構造（特許文献１）や電熱材料と管を同軸構造で一体にした構造のもの（特許文献２）、管の肉厚部分に電熱材を埋め込む構造のもの（特許文献３）さらには管内部に電熱線を垂らす構造のもの（特許文献４）などが提案されている。
【特許文献１】特開平６-３２３４８５
【特許文献２】特開２００６-２１７０９０
【特許文献３】特開平０６-３１９７７０
【特許文献４】実開昭６３-１０３０９１
【発明の開示】
【発明が解決しようとする課題】
【０００３】
以上に述べた従来の配管等の融雪・凍結防止手法の１部は既設のたて樋を廃棄し、新規に施工する必要があった。又、既設のたて樋管内部に電熱線を垂らす手法は、施工が簡単であるが熱効率が悪く、たて樋全周を加熱するには不十分であった。
【０００４】
本発明は、以下に述べる解決手段によって上述の諸問題を解決し、たて樋全周を効率よく加熱するものである。
【課題を解決するための手段】
【０００５】
本発明は、既設のたて樋配管１の内径よりも外径が大であるヒーター支持器２、この支持器２の先端部に装着された電熱ヒーター（３ａ、３ｂ、３ｃ）および複数のヒーター支持器の各中心部を貫通してこれらを一体化する固定用支持線６を、既設のたて樋配管１の内部へ引っ張り込む事によって、ヒーター支持器の腕部（２ａ、２ｂ、２ｃ）がたて樋配管の内径に沿って折り曲げられ、ヒーター支持器の先端部に保持器（４ａ、４ｂ、４ｃ）に支持されて取付けられた電熱ヒーター（３ａ、３ｂ、３ｃ）が、腕部（２ａ、２ｂ、２ｃ）の復元しようとするバネ圧力によって、たて樋配管の内面に密着する構造のたて樋配管凍結防止器である。
【０００６】
ヒーター支持器２の先端にピボット軸受構造に取付けられた保持器は、ピボット軸受によりヒーター支持器の腕部の曲げ角度には関係なく、たて樋配管の縦軸に沿って維持できる構造とした事によって、各保持器に支持された各電熱ヒーターの全長がたて樋配管の軸方向内面に対して、密着する構造としたものである。
【０００７】
さらに、ヒーター支持器２に設けた通し穴２ｄに固定用支持線６を貫通させて、固定リング５によって同一軸上に複数個のヒーター支持器２を自由な間隔で取付け固定可能にしたものである。
【０００８】
また、電熱ヒーター３は自己温度制御機能を有する材料から構成することが設置状況に対応しやすく好ましい。
【０００９】
加えて、ヒーター支持器２は抗菌対策が施されている材料で構成することが、衛生面や樋配管のつまりを防止する上で好ましい。
【発明の効果】
【００１０】
本発明は、以上説明したように構成されているので、以下に記載されるような効果を奏する。
複数のヒーター支持器２、複数の電熱ヒーター３を取付けた固定用支持線６を、既設のたて樋配管に通し、たて樋配管の上部から固定用支持線６を引っ張り上げることで、容易に電熱ヒーター３をたて樋内面に密接して設置することができ、冬季や寒冷時のたて樋配管の融雪、凍結防止の効果が容易に得られる。
【発明を実施するための最良の形態】
【００１１】
以下、本発明の実施の形態を図１〜図４に基づいて説明する。
本発明は、既設のたて樋配管１の内径よりもその外径が大である、例えばポリピロピレンからなるヒーター支持器２、この支持器２の先端部に装着された電熱ヒーター（３ａ、３ｂ、３ｃ）および複数のヒーター支持器の各中心部を貫通してこれらを一体化する固定用支持線６を、既設のたて樋配管１の内部へ引っ張り込む事によって、ヒーター支持器の腕部（２ａ、２ｂ、２ｃ）がたて樋配管の内径に沿って折り曲げられ、ヒーター支持器の先端部に保持器（４ａ、４ｂ、４ｃ）に支持されて取付けられた電熱ヒーター（３ａ、３ｂ、３ｃ）が、腕部（２ａ、２ｂ、２ｃ）の復元しようとするバネ圧力によって、たて樋配管の内面に密着する構造のたて樋配管凍結防止器である。
【００１２】
ここで、ヒーター支持器２に取付けられた保持器は、ヒーター支持器の腕部の曲げ角度に関係なく、たて樋配管の縦軸に沿ってその垂直位置を維持できる構造とした事によって、各保持器に支持された各電熱ヒーターの全長がたて樋配管の軸方向内面に対して、密着する構造としたものである。
【００１３】
さらに、ヒーター支持器２に設けた通し穴２ｄに固定用支持線６を貫通させて、固定リング５によって同一軸上に複数個のヒーター支持器２を自由な間隔で取付け固定可能にしたものである。なお、図中７は電源接続ボックス、８は通電用電線、９は電線と接続するためのコネクターをそれぞれ示す。
【００１４】
また、電熱ヒーター３は自己温度制御機能を有する材料から構成することが設置状況に対応しやすく好ましい。
加えて、ヒーター支持器２は抗菌対策が施されている材料で構成することが、衛生面や樋配管のつまりを防止する上で好ましい。
【００１５】
図１は、本発明の凍結防止器をたて樋配管内に取付けた構造の垂直断面を示す図であり、図２はその水平断面を示す図である。また図３は本発明の別な実施形態である凍結防止器をたて樋配管内に取付けた構造の垂直断面を示す図、図４はその水平断面を示す図である。
図５、図６は、凍結防止器をたて樋配管内に取付ける前と後のヒーター支持器の腕部形状をそれぞれ示す部分拡大図である。４ａ、４ｂ、４ｃを、ヒーター支持器の腕部２ａ、２ｂ、２ｃの各先端にピボット軸受構造に取り付けることで、保持器は腕部の曲がり状態に関係なく、軸受け部で回って配管内面に沿って密着する。
【産業上の利用可能性】
【００１６】
このように本発明は、寒冷地の建築物等の各種たて樋配管の融雪および凍結防止に有効なものである。
【図面の簡単な説明】
【００１７】
【図１】本発明の凍結防止器をたて樋配管に装着した実施例の垂直断面図。
【図２】同水平断面図。
【図３】本発明の凍結防止器のたて樋配管に装着する前の垂直断面図。
【図４】同ヒーター支持器の平面図。
【図５】ヒーター支持器の腕部、保持器および電熱ヒーターのたて樋配管に装着する前の部分拡大図。
【図６】同ヒーター支持器の腕部、保持器および電熱ヒーターをたて樋配管に装着した後の部分拡大図。
【符号の説明】
【００１８】
１  たて樋配管
２  ヒーター支持器
２ａ、２ｂ、２ｃ  ヒーター支持器の腕部  
２ｄ  ヒーター支持器に形成された通し穴
３、３ａ、３ｂ、３ｃ  電熱ヒーター
４、４ａ、４ｂ、４ｃ  保持器
５  固定リング
６  固定用支持線
７  電源接続ボックス
８  電熱ヒーター通電用電線
９  コネクター
【図１】
2008291428.tif 000003
【図２】
2008291428.tif 000004
【図３】
2008291428.tif 000005
【図４】
2008291428.tif 000006
【図５】
2008291428.tif 000007
【図６】
2008291428.tif 000008